Podtech/llm-jp-corpus-v4-ja_patent huggingface dataset:
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
遊技媒体を受け入れる受入手段と、
前記各周回体の周回を開始させるべく操作される始動操作手段と、
前記遊技媒体の受入と前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて対応する周回体の周回を停止させるように、且つ、前記役の抽選に当選すると共に前記停止操作手段が所定のタイミングで操作された場合、当選している役と対応する当選絵柄が前記表示部から視認できる有効位置に停止するように前記各駆動手段を停止駆動制御する停止駆動制御手段と、
前記役の抽選結果が所定役当選であって前記有効位置に第１絵柄が所定の組合せを形成して停止した場合、第１入賞成立として遊技者に特典を付与する特典付与手段と、
前記役の抽選結果が再遊技役当選であって前記有効位置に第２絵柄が所定の組合せを形成して停止した場合、第２入賞成立として前記遊技媒体を受け入れることなく次回の遊技を可能とする再遊技設定手段と、
前記役の抽選結果が特定役当選であって前記有効位置に第３絵柄が所定の組合せを形成して停止した場合、第３入賞成立として遊技状態を遊技者に有利な特別遊技状態に移行させる状態移行手段と、
前記役の抽選結果が前記特定役当選であって前記有効位置に前記第３絵柄が所定の組合せを形成して停止しなかった場合、前記特定役当選を留保記憶する留保記憶手段と
を備えた遊技機において、
前記特定役と前記再遊技役に当選している場合に、前記特定役当選を示唆する補助演出を行うことが可能な補助演出手段を備え、
前記停止駆動制御手段を、前記特定役と前記再遊技役に当選している場合、前記第３入賞より前記第２入賞が優先して成立するように前記各駆動手段を停止駆動制御する構成とし、
前記抽選役として、前記特定役と前記再遊技役に当選となる複数当選役を設定したことを特徴とする遊技機。
【請求項２】
前記停止駆動制御手段は、前記特定役と前記再遊技役に当選している場合、前記各停止操作手段の操作タイミングに関わらず前記第２絵柄が前記有効位置で所定の組合せを形成するよう前記各駆動手段を停止駆動制御することを特徴とする請求項１に記載の遊技機。
【請求項３】
前記停止駆動制御手段は、前記停止操作手段の操作タイミングから予め定めた規定期間内に対応する周回体の周回を停止させるよう前記各駆動手段を停止駆動制御すると共に、前記周回体の周回を停止させる停止態様として、前記停止操作手段の操作タイミングで前記有効位置に到達している到達絵柄を当該有効位置に停止させる停止態様と、前記到達絵柄を前記周回体の周回する側に予め定めた絵柄数分だけ移動させた後に停止させる停止態様と、のうち複数の停止態様を有し、
前記有効位置に先に到達する第２絵柄と、前記有効位置に次に到達する同種の第２絵柄の間隔が、前記規定期間に前記到達絵柄の移動できる最大絵柄数以下となるように、前記第２絵柄を前記各周回体に付したことを特徴とする請求項１又は２に記載の遊技機。
【請求項４】
前記各周回体のうち少なくとも１つの周回体に、前記有効位置に先に到達する第３絵柄と、前記有効位置に次に到達する同種又は同一の第３絵柄の間隔が、前記最大絵柄数より大きな非配置区間が形成されるように、前記第３絵柄を付したことを特徴とする請求項３に記載の遊技機。
【請求項５】
前記始動操作手段の操作に基づいて乱数値を取得する乱数取得手段と、前記所定役等の各抽選役と対応する対応値を記憶する対応値記憶手段とを備え、
前記抽選手段は、前記乱数値及び前記対応値に基づいて前記各抽選役に当選したか否かを判定する当選判定手段と、該当選判定手段がいずれかの抽選役に当選したと判定した場合、前記当選判定手段による判定を終了させる判定終了手段とを備え、
前記対応値記憶手段に、前記複数当選役と対応する対応値を記憶させたことを特徴とする請求項１乃至４のいずれか１に記載の遊技機。
【請求項６】
周方向に周回すると共に、該周方向に複数種の絵柄が付された複数の周回体と、
前記各周回体について各絵柄のうち一部の絵柄を視認可能とする表示部と、
遊技媒体を受け入れる受入手段と、
前記受入手段からの遊技媒体受入を検出し、予め定められた規定数を上限として遊技の賭数を設定する賭数設定手段と、
前記表示部から視認できる視認範囲に、前記賭数設定手段の設定した賭数に応じた有効位置を設定する有効位置設定手段と、
前記各周回体の周回を開始させるべく操作される始動操作手段と、
前記賭数設定手段が前記賭数を設定した場合、前記始動操作手段の操作に基づき、前記賭数と対応した当選確率で役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて対応する周回体の周回を停止させるように、且つ、前記役の抽選に当選すると共に前記停止操作手段が所定のタイミングで操作された場合、当選している役と対応する当選絵柄が前記有効位置に停止するよう前記各駆動手段を停止駆動制御する停止駆動制御手段と、
前記役の抽選結果が所定役当選であって前記有効位置に第１絵柄が所定の組合せを形成して停止した場合、第１入賞成立として遊技者に特典を付与する特典付与手段と、
前記役の抽選結果が媒体付与役当選であって前記有効位置に第２絵柄が所定の組合せを形成して停止した場合、第２入賞成立として前記規定数以上の遊技媒体を遊技者に付与する遊技媒体付与手段と、
前記役の抽選結果が特定役当選であって前記有効位置に第３絵柄が所定の組合せを形成して停止した場合、第３入賞成立として遊技状態を遊技者に有利な特別遊技状態に移行させる状態移行手段と、
前記役の抽選結果が前記特定役当選であって前記有効位置に前記第３絵柄が所定の組合せを形成して停止しなかった場合、前記特定役当選を留保記憶する留保記憶手段と
を備えた遊技機において、
前記特定役と前記媒体付与役に当選している場合に、前記特定役当選を示唆する補助演出を行うことが可能な補助演出手段を備え、
前記停止駆動制御手段を、前記特定役と前記媒体付与役に当選している場合、前記第３入賞より前記第２入賞が優先して成立するように前記各駆動手段を停止駆動制御する構成とし、
前記抽選役として、前記特定役と前記媒体付与役に当選となる複数当選役を設定したことを特徴とする遊技機。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
４本の脚部が植立固定されたシート部と、シート部に対し進退自在に設けられた背もたれ部と、高低調整自在に脚部に設けられた足置き部と、シート部に設けられた腕支持部とを有することを特徴とする身体障害者用の投てき競技用スローイングチエア
【請求項２】
シート部に少なくとも１個の膝押さえ部を設けた請求項１に記載の身体障害者用の投てき競技用スローイングチエア
【請求項３】
シート部に膝押さえ用の襟帯用ベルトを設けた請求項１又は請求項２に記載の身体障害者用の投てき競技用スローイングチエア
【請求項４】
背もたれ部に腰部襟帯用ベルトを設けた請求項１乃至請求項３のいずれかに記載の身体障害者用の投てき競技用スローイングチエア
【請求項５】
脚部の長さを、スペーサを挿入して調整可能とした請求項１乃至請求項４のいずれかに記載の身体障害者用の投てき競技用スローイングチエア
【手続補正２】
【補正対象書類名】明細書
【補正対象項目名】００２２
【補正方法】変更
【補正の内容】
【００２２】
特に、脳性麻痺、脊髄損傷、などの障害を持った競技者にとって、投てき競技において、体をしっかりと固定できることは必須の条件であるが、この発明においては、進退および上下可能な背後支持部材（背もたれ部２）、高低の可変調整可能な足置き台、左右の膝部に設けられる膝押さえローラー、それに腕支持台の等の存在から、補助者は必要とするものの、楽しく競技ができ、容易に重度の身体障害者の投てき種目への参加が可能となる。
【手続補正書】
【提出日】平成20年11月7日(2008.11.7)
【手続補正１】
【補正対象書類名】明細書
【補正対象項目名】０００２
【補正方法】変更
【補正の内容】
【０００２】
従来、高齢者、身体障害者、身体の不自由な者あるいは車椅子使用者が、自宅において既存の洋式便器を使用する際に、自力で洋式便器に着座したり起立したりすることは、膝や足腰の屈伸が不自由のため極めて困難で時には苦痛を伴い、介助者に頼るか又は杖などに頼って時間のかかる動作をし、多大な苦労と時間を要していた。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
所定の発射手段により発射される遊技球が案内される遊技領域と、
前記遊技領域に案内された遊技球が入球可能な内部領域を有し、遊技球が前記内部領域に入球可能な開状態と、遊技球が前記内部領域に入球不能な閉状態とに切換可能な可変入球手段と、
前記可変入球手段を閉状態と開状態とに切替える切替制御を実行する開閉制御手段と、
前記内部領域に入球した遊技球を検出する入球検出手段と、
前記内部領域に入球し、前記入球検出手段に検出された遊技球が入球可能な特定入球部及び非特定入球部と、
前記特定入球部に入球した遊技球を検出する特定検出手段と、
前記特定検出手段による検出に基づいて、遊技者に有利な特別遊技状態を発生させる特別遊技処理を実行可能な遊技状態制御手段とを備え、
遊技球が前記内部領域に入球した場合には、前記入球検出手段に検出された後、前記特定入球部又は前記非特定入球部に入球して、前記内部領域から排出される構成であって、
前記特定入球部及び前記非特定入球部に入球した遊技球を検出する排出検出手段と、
前記入球検出手段による検出と前記排出検出手段による検出とに基づいて、前記内部領域に遊技球が存在しているか否かを判断する残存球監視処理を行う残存球監視手段とを備えたことを特徴とする遊技機。
【請求項２】
カウント値を記憶するカウント記憶手段と、
前記カウント記憶手段に記憶されているカウント値を、前記内部領域に存在する遊技球の数がそれまでよりも増えたことを示す値に更新する第１更新手段と、
前記カウント記憶手段に記憶されているカウント値を、前記内部領域に存在する遊技球の数がそれまでよりも減ったことを示す値に更新する第２更新手段とを備え、
前記残存球監視手段は、前記可変入球手段が閉状態とされた後、前記カウント記憶手段に記憶されているカウント値に基づいて、前記内部領域に遊技球が存在するか否かを判断することで残存球監視処理を行うことを特徴とする請求項１に記載の遊技機。
【請求項３】
前記開閉制御手段による前記可変入球手段を開状態に切替える切替制御を許可する有効状態と、許可しない無効状態とに切替える開放許可制御手段を備え、
前記開放許可制御手段は、
所定の契機に基づいて実行される前記開閉制御手段による一連の切替制御が終了し、前記可変入球手段が閉状態とされた後に行われる残存球監視処理において、前記内部領域に遊技球が存在していると判断された場合に前記無効状態に切替え、
前記内部領域に遊技球が存在していないと判断された場合に前記有効状態に切替える構成であって、
前記残存球監視手段は、前記内部領域に遊技球が存在するときには残存球監視処理を繰り返し行うことを特徴とする請求項１又は２に記載の遊技機。
【請求項４】
前記遊技状態制御手段に特別遊技処理を実行させるか否かを判断する特別遊技状態発生判断手段を備え、
前記残存球監視手段は、前記特定検出手段による検出があった場合に前記入球検出手段による検出と前記排出検出手段による検出とに基づいて、前記内部領域に存在する遊技球の数を判断する特定残存球監視処理を行い、
前記特別遊技状態発生判断手段は、当該特定残存球監視処理の結果に基づいて、前記判断を行なう構成であって、
カウント値を記憶するカウント記憶手段と、
前記カウント記憶手段に記憶されているカウント値を、前記内部領域に存在する遊技球の数がそれまでよりも増えたことを示す値に更新する第１更新手段と、
前記カウント記憶手段に記憶されているカウント値を、前記内部領域に存在する遊技球の数がそれまでよりも減ったことを示す値に更新する第２更新手段とを備え、
前記残存球監視手段は、前記特定入球部に入球した遊技球が前記排出検出手段に検出されることに基づいて行われる前記第２更新手段によるカウント値の更新の後に、前記カウント記憶手段に記憶されているカウント値に基づいて、前記内部領域に入球した遊技球の数が前記内部領域から排出された遊技球の数よりも少ないか否かを判断することで前記特定残存球監視処理を行い、
前記特別遊技状態発生判断手段は、
前記特定残存球監視処理において、前記内部領域に入球した遊技球の数が前記内部領域から排出された遊技球の数よりも少なくないと判断された場合には、前記遊技状態制御手段に特別遊技処理を実行させ、
前記内部領域に入球した遊技球の数が前記内部領域から排出された遊技球の数よりも少ないと判断された場合には、前記遊技状態制御手段に特別遊技処理を実行させないことを特徴とする請求項１乃至３のいずれかに記載の遊技機。
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
手で握りこむグリップ部と、
上記グリップ部内に設置され、該グリップ部に設置される指を掌側から照射する光源と、
上記指を透過した上記光源からの光を撮像する撮像部と、
上記撮像部で撮像された画像から血管パターンを抽出して個人認証を行う処理部とを有し、
上記撮像部は上記グリップ部に設置される指を介して上記光源と対向する位置に設置され、上記設置される指の甲側を撮像することを特徴とする個人認証装置。
【請求項２】
前記グリップ部は上記指を設置する1つ以上の窪みを備えることを特徴とする請求項１記載の個人認証装置。
【請求項３】
前記窪みの中心位置に前記光源を備えることを特徴とする請求項２記載の個人認証装置。
【請求項４】
前記撮像部は、前記グリップ部を支持するグリップ支持部内に設置されることを特徴とする請求項１乃至３の何れかに記載の個人認証装置。
【請求項５】
前記撮像部は前記グリップ部に設置されることを特徴とする請求項１乃至３のいずれかに記載の個人認証装置。
【請求項６】
前記グリップ部と前記グリップ支持部とをつなぐ位置あわせ用棒を有し、複数の上記指を該位置あわせ用棒を挟むように設置させることを特徴とする請求項４記載の個人認証装置。
【請求項７】
前記グリップ部は断面が円形であって、且つ、その一部についての曲率が他の部分と異なる部分を有し、該曲率が異なる箇所まで上記指の先を挿入させることを特徴とする、請求項１乃至６のいずれか記載の個人認証装置。
【請求項８】
前記光源を前記設置される指の長手方向に複数個配置することを特徴とする請求項１乃至７の何れかに記載の個人認証装置。
【請求項９】
前記グリップ部に対し前記手によって圧力が加えられたことを検知する検知部を備え、
前記グリップ部に対し圧力が加えられたときに前記撮像部の撮像を開始することを特徴とする請求項１乃至９の何れかに記載の個人認証装置。
【請求項１０】
前記撮像部を前記指の長手方向に複数個備え、
該撮像部それぞれが複数個配置される前記光源と対向していることを特徴とする請求項８記載の個人認証装置。
【請求項１１】
前記指の長手方向に移動する前記指の指静脈パターンを時系列に複数毎撮影し、該複数撮影された複数の画像を用いて前記個人認証を行うことを特徴とする請求項１乃至１０の何れかに記載の個人認証装置。
【請求項１２】
前記処理部は、前記複数の画像毎に登録パターンとの認証を行い、いずれかの画像を用いた認証がなされた場合に個人認証が成立したと判定することを特徴とする請求項１１記載の個人認証装置。
【請求項１３】
前記グリップ部は自動車のドアノブであることを特徴とする請求項１乃至１２のいずれかに記載の個人認証装置
【請求項１４】
前記処理部は個人認証できたと判定した場合に該自動車のドアを開錠することを特徴とする請求項１３に記載の個人認証装置。
【請求項１５】
前記処理部において個人認証をした後に、前記自動車の設定条件を該個人認証において認証された認証者用に予め登録された設定条件に調節させることを特徴とする請求項１３または１４に記載の個人認証装置。
【請求項１６】
ドアに取り付けられる取っ手内部に備えられる光源と、
手が該取っ手を握りこんだことを検知する検知手段と、
該検知手段が握りこみを検知した場合に、該手の甲側から該手の指を撮像する撮像部と、
上記撮像された画像から血管パターンを抽出して個人認証を行い認証された場合に上記ドアの開錠を行うことを特徴とする個人認証装置。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
柔軟性を有するチューブと、該チューブを圧搾して流体を輸送するポンプユニットと、該ポンプユニットの駆動制御を行う駆動制御回路と、無線通信部と、を有し、
前記チューブの流入部および流出部と、筐体とを用いて形成される密閉空間内に、前記ポンプユニット、前記駆動制御回路、前記無線通信部及び前記チューブのうち少なくとも前記ポンプユニットによって圧搾される部分、が収容され、
初期設定される基礎データおよび駆動前に設定される装置個別の吐出データを含み、前記基礎データと前記吐出データとが分けて設定された駆動条件を前記無線通信部が受信し、当該受信した前記駆動条件に基づいて流体輸送を行う、
ことを特徴とする流体輸送装置。
【請求項２】
請求項１に記載の流体輸送装置において、
前記無線通信部はアンテナと送受切換器とを備えていることを特徴とする流体輸送装置。
【請求項３】
請求項１又は２に記載の流体輸送装置において、
前記無線通信部は、発光素子、受光素子及び制御回路、を備えることを特徴とする流体輸送装置。
【請求項４】
請求項１ないし請求項３のいずれか一項に記載の流体輸送装置において、
前記筐体は、当該筐体の外郭に突出部がなく、且つ、前記筐体及び前記チューブが、生体適合性を有する材料で形成されていることを特徴とする流体輸送装置。
【請求項５】
請求項４に記載の流体輸送装置において、
前記筐体は、チタン、チタン合金、セラミックス、ポリエチレン樹脂、フッ素系樹脂、シリコンゴム系樹脂、の少なくともいずれか一つによって形成され、
前記チューブは、シリコンゴム、ポリエチレン樹脂、フッ素系樹脂、の少なくともいずれか一つによって形成されていることを特徴とする流体輸送装置。
【手続補正２】
【補正対象書類名】明細書
【補正対象項目名】発明の名称
【補正方法】変更
【補正の内容】
【発明の名称】流体輸送装置
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
柔軟性を有するチューブと、該チューブを圧搾して流体を輸送するポンプユニットと該ポンプユニットの駆動制御を行う駆動制御回路と、無線通信部と、記憶回路と、を有し、
前記チューブの流入部および流出部と、筐体とを用いて形成される密閉空間内に、前記ポンプユニット、前記駆動制御回路、前記無線通信部、前記記憶回路及び前記チューブのうち少なくとも前記ポンプユニットによって圧搾される部分、が収容され、
前記無線通信部は、無線通信によって駆動条件を受信し、
前記記憶回路は、前記駆動条件を記憶し、
前記記憶回路に記憶された前記駆動条件に基づいて流体輸送を行うことを特徴とする流体輸送装置。
【請求項２】
請求項１に記載の流体輸送装置において、
前記無線通信部はアンテナと送受切換器とを備えていることを特徴とする流体輸送装置。
【請求項３】
請求項１又は２に記載の流体輸送装置において、
前記無線通信は光通信であって、
前記無線通信部は、発光素子、受光素子及び制御回路、を備えることを特徴とする流体輸送装置。
【請求項４】
形成  請求項１ないし請求項３のいずれか一項に記載の流体輸送装置において、
前記筐体は、当該筐体の外郭に突出部がなく、且つ、前記筐体及び前記チューブが、生体適合性を有する材料で形成されていることを特徴とする流体輸送装置。
【請求項５】
請求項６に記載の流体輸送装置において、
前記筐体は、チタン、チタン合金、セラミックス、ポリエチレン樹脂、硬質シリコン樹脂、の少なくともいずれか一つによって形成され、
前記チューブは、シリコンゴムによって形成されていることを特徴とする流体輸送装置。
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
複数の遊戯者により仮想３次元空間における一のプレイヤーキャラクタを操作する遊戯が行われる遊戯装置であって、
前記遊戯の画像を表示する表示手段と、
前記複数の遊戯者のそれぞれに対して用意されており、該それぞれの遊戯者が単独でのみ個別に手で操作できる位置に設けられた複数の第１操作部と、該それぞれの遊戯者が単独でのみ個別に足で操作できる位置に設けられた複数の第２操作部とを有する操作手段と、
前記それぞれの遊戯者によって個別に操作されるそれぞれの操作手段から個別に出力される操作信号が入力される制御手段と、
を備えており、
前記制御手段は、
前記複数の遊戯者のそれぞれによる前記第２操作手段の操作が行われたタイミングが同時か否かを、該それぞれの遊戯者による各第２操作手段からの操作信号に基づいて判定し、
前記タイミングが同時ではないと判定された場合には、前記プレイヤーキャラクタが第１の動作を行う画像を前記表示手段に表示させ、前記タイミングが同時であると判定された場合には、前記プレイヤーキャラクタが前記第１の動作とは異なる第２の動作を行う画像を前記表示手段に表示させる、
遊戯装置。
【請求項２】
前記遊戯が、前記プレイヤーキャラクタに向かって移動する障害物オブジェクトを、前記複数の遊戯者の操作に基づいて該プレイヤーキャラクタに回避させるように動作させる内容を含んでおり、
前記制御手段は、
前記仮想３次元空間における前記プレイヤーキャラクタと前記障害物オブジェクトとの相対速度、及び、距離、並びに、該プレイヤーキャラクタ及び該障害物オブジェクトの大きさに基づいて、該仮想３次元空間におけるプレイヤーキャラクタ及び該障害物オブジェクトの挙動予測計算を行い、該計算結果に基づいて、プレイヤーキャラクタと該障害物オブジェクトとの接触が前記第１の動作又は前記第２の動作によって回避できるか否か判断し、
前記第１の動作及び前記第２の動作のいずれによっても前記接触を回避できないと判断した場合に、前記障害物オブジェクトを一定速度に加速することにより、前記プレイヤーキャラクタによる前記第１の動作又は前記第２の動作によって前記障害物オブジェクトとの接触を回避できるか否か更に判断し、
前記障害物オブジェクトを一定速度に加速することにより、前記プレイヤーキャラクタによる前記第１の動作又は前記第２の動作によって前記障害物オブジェクトとの接触を回避できると判断した場合に、前記仮想３次元空間における該障害物オブジェクトの移動速度を前記一定速度へ加速し、前記仮想３次元空間において該障害物オブジェクトを該移動速度で移動させる挙動計算を行い、該障害物オブジェクトが該移動速度で移動する画像を前記表示手段に表示させる、
請求項１記載の遊戯装置。
【請求項３】
前記制御手段は、前記仮想３次元空間における前記プレイヤーキャラクタと前記障害物オブジェクトとの相対速度、及び、距離に基づいて、該プレイヤーキャラクタ及び該障害物オブジェクトが前記仮想３次元空間において同一方向に移動しているか否かを判断し、該同一方向に移動している場合に、該プレイヤーキャラクタと該障害物オブジェクトとの接触が前記第１の動作又は前記第２の動作によって回避できるか否か判断する、
請求項２記載の遊戯装置。
【請求項４】
前記制御手段は、前記障害物オブジェクトの大きさが前記プレイヤーキャラクタの大きさよりも大きい場合に、該プレイヤーキャラクタと該障害物オブジェクトとの接触が前記第１の動作又は前記第２の動作によって回避できるか否か判断する、
請求項２記載の遊戯装置。
【請求項５】
前記制御手段は、前記プレイヤーキャラクタと前記障害物オブジェクトとの距離が所定の範囲内の値である場合に、該プレイヤーキャラクタと該障害物オブジェクトとの接触が前記第１の動作又は前記第２の動作によって回避できるか否か判断する、
請求項２記載の遊戯装置。
【請求項６】
複数の遊戯者により仮想３次元空間における一のプレイヤーキャラクタを操作する遊戯が行われ、かつ、前記遊戯の画像を表示する表示手段、前記複数の遊戯者のそれぞれに対して用意されており、かつ、該それぞれの遊戯者が単独でのみ個別に手で操作できる位置に設けられた複数の第１操作部と、該それぞれの遊戯者が単独でのみ個別に足で操作できる位置に設けられた複数の第２操作部とを有する操作手段、及び、前記それぞれの遊戯者によって個別に操作されるそれぞれの操作手段から個別に出力される操作信号が入力される制御手段を備える遊戯装置の制御方法であって、
前記制御手段が、前記複数の遊戯者のそれぞれによる前記第２操作手段の操作が行われたタイミングが同時か否かを、該それぞれの遊戯者による各第２操作手段からの操作信号に基づいて判定するステップと、
前記遊戯手段が、前記タイミングが同時ではないと判定された場合には、前記プレイヤーキャラクタが第１の動作を行う画像を前記表示手段に表示させ、前記タイミングが同時であると判定された場合には、前記プレイヤーキャラクタが前記第１の動作とは異なる第２の動作を行う画像を前記表示手段に表示させるステップと、
を備える、
遊戯装置の制御方法。
【請求項７】
前記遊戯が、前記プレイヤーキャラクタに向かって移動する障害物オブジェクトを、前記複数の遊戯者の操作に基づいて該プレイヤーキャラクタに回避させるように動作させる内容を含んでおり、
前記制御手段が、前記仮想３次元空間における前記プレイヤーキャラクタと前記障害物オブジェクトとの相対速度、及び、距離、並びに、該プレイヤーキャラクタ及び該障害物オブジェクトの大きさに基づいて、該仮想３次元空間におけるプレイヤーキャラクタ及び該障害物オブジェクトの挙動予測計算を行い、該計算結果に基づいて、プレイヤーキャラクタと該障害物オブジェクトとの接触が前記第１の動作又は前記第２の動作によって回避できるか否か判断するステップと、
前記制御手段が、前記第１の動作及び前記第２の動作のいずれによっても前記接触を回避できないと判断した場合に、前記障害物オブジェクトを一定速度に加速することにより、前記プレイヤーキャラクタによる前記第１の動作又は前記第２の動作によって前記障害物オブジェクトとの接触を回避できるか否か更に判断するステップと、
前記制御手段が、前記障害物オブジェクトを一定速度に加速することにより、前記プレイヤーキャラクタによる前記第１の動作又は前記第２の動作によって前記障害物オブジェクトとの接触を回避できると判断した場合に、前記仮想３次元空間における該障害物オブジェクトの移動速度を前記一定速度へ加速し、前記仮想３次元空間において該障害物オブジェクトを該移動速度で移動させる挙動計算を行い、該障害物オブジェクトが該移動速度で移動する画像を前記表示手段に表示させるステップと、
を備える、
請求項６記載の遊戯装置の制御方法。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
情報処理装置本体に接続されるコントローラデバイスであって、
音声信号を鳴動するスピーカと、
前記情報処理装置本体から周期的に音声データを受信する通信部と、
記憶部と、
を備え、
前記通信部は、前記周期を超える期間に亘り前記スピーカを鳴動させうる音声データを受信し、
前記記憶部は、前記受信した音声データを保持する
ことを特徴とするコントローラデバイス。
【請求項２】
請求項１に記載のコントローラデバイスであって、
前記スピーカとは異なる他のスピーカをさらに備え、
前記スピーカ及び前記他のスピーカのいずれか一方は低周波数領域の音声信号を鳴動し、他方は当該低周波数領域よりも比較的高い周波数領域の音声信号を鳴動する
ことを特徴とするコントローラデバイス。
【請求項３】
請求項２に記載のコントローラデバイスであって、
前記情報処理装置本体から音声信号を受信し、当該受信した音声信号が、前記スピーカ及び前記他のスピーカに対して共通の信号源として用いられることを特徴とするコントローラデバイス。
【請求項４】
請求項２に記載のコントローラデバイスであって、
前記情報処理装置本体から複数のチャネルを含む音声信号を受信し、当該音声信号に含まれる互いに異なるチャネルの音声信号がそれぞれ、前記スピーカ及び前記他のスピーカの各々に対する信号源として用いられることを特徴とするコントローラデバイス。
【請求項５】
請求項２から４のいずれか一項に記載のコントローラデバイスであって、
前記情報処理装置本体側から入力される指示に従って、前記低周波数領域の音声信号を鳴動するスピーカを選択的に鳴動制御することを特徴とするコントローラデバイス。
【請求項６】
情報処理装置本体に接続されるコントローラデバイスであって、
音声信号を鳴動するスピーカと、
前記情報処理装置本体から音程、音長、音の強度、音の種類の少なくとも一つを含む音楽信号を受信し、当該音楽信号に基づいて音声を合成する手段と、を有し、
当該音声合成手段によって合成される音声に基づいて、前記スピーカが鳴動されることを特徴とするコントローラデバイス。
【請求項７】
請求項６に記載のコントローラデバイスであって、
前記スピーカとは異なる他のスピーカをさらに備え、
前記スピーカ及び前記他のスピーカのいずれか一方は低周波数領域の音声信号を鳴動し、他方は当該低周波数領域よりも比較的高い周波数領域の音声信号を鳴動する
ことを特徴とするコントローラデバイス。
【請求項８】
情報処理装置本体に接続されるコントローラデバイスであって、
音声信号を鳴動するスピーカと、
前記情報処理装置本体から少なくとも音の種類を含む信号を受信し、当該音の種類に対応して予め記憶している波形データを利用して、音声を合成する手段と、を有することを特徴とするコントローラデバイス。
【請求項９】
請求項８に記載のコントローラデバイスであって、
前記スピーカとは異なる他のスピーカをさらに備え、
前記スピーカ及び前記他のスピーカのいずれか一方は低周波数領域の音声信号を鳴動し、他方は当該低周波数領域よりも比較的高い周波数領域の音声信号を鳴動する
ことを特徴とするコントローラデバイス。
【手続補正書】
【提出日】平成20年8月20日(2008.8.20)
【手続補正１】
【補正対象書類名】特許請求の範囲
【補正対象項目名】請求項２
【補正方法】変更
【補正の内容】
【請求項２】
前記払出センサは磁気センサであり、前記不正センサは光透過型センサ（400）であることを特徴とする請求項１のメダル処理機におけるメダル払出装置。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
大豆粉末との混合系において、大豆粉末に対して１０重量％以上の茶葉粉末を添加してなる食用粉末組成物。
【請求項２】
前記大豆粉末は、リポキシゲナーゼ完全欠失種の大豆粉末を温度１３０℃〜２５０℃の過熱水蒸気をもって大気圧下で３０秒〜３００秒間加熱乾燥処理した大豆粉末であることを特徴とする請求項１記載の食用粉末組成物。
【請求項３】
大豆粉末およびごま粉末との混合系において、ごま粉末に対して１５重量％以上となる茶葉粉末を添加してなる請求項１または２に記載の食用粉末組成物。
【請求項４】
前記各粉末の混合物を温度１１０℃〜１３０℃の過熱水蒸気に大気圧下で３０秒〜１８０秒間暴露した後、解砕することにより得られる請求項１乃至３のいずれか一に記載の顆粒状の食用粉末組成物。
【請求項５】
リポキシゲナーゼ完全欠失種の大豆粉末を温度１３０℃〜２５０℃の過熱水蒸気をもって大気圧下で３０秒〜３００秒間加熱乾燥処理した後に再度粉末化し、この再度粉末化された大豆に対して２５重量％〜６０重量％の茶葉粉末を添加することを特徴とする食用粉末組成物の製造方法。
【請求項６】
請求項５記載の食用粉末組成物の製造方法において、前記茶葉粉末を添加した後に、各粉末の混合物を温度１１０℃〜１３０℃の過熱水蒸気をもって大気圧下で１５秒〜１８０秒間暴露して塊状化物としたのちに、この塊状化物を解砕することを特徴とする顆粒状の食用粉末組成物の製造方法。
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
外枠を構成し、底部を有するフレームと、
該フレーム内に配置され該フレームに固定支持されてロータ室を画成するボウルと、
該ボウル内外に延び、一端は該ボウル内に位置し、他端は該ボウル外に位置し該底部に近接対向し、該一端側にロータを装着して該ロータを該ロータ室内で回転させる回転軸と、
該フレームに支持されて、該ボウルの一側面側側に配置され、駆動力を発生するモータと、
該モータの駆動力を出力するために該モータから延設され、該底部に近接対向する出力軸と、
該回転軸の他端及び該出力軸に装着され、該モータの駆動力を該回転軸に伝達するベルトと、を備えた遠心機において、
該底部の該ベルトに対向する部分には、開口部が形成され、該開口部は、該回転軸の他端に対向する部分に形成された第１開口部と、該出力軸に対向する部分に形成された第２開口部とを有することを特徴とする遠心機。
【請求項２】
該開口部は、更に、該回転軸の他端と該出力軸との略中央部に対向する部分に形成された第３開口部を有することを特徴とする請求項１に記載の遠心機。
【請求項３】
該開口部は、該回転軸の他端と該出力軸との略中央部に対向する部分に形成されていることを特徴とする請求項１に記載の遠心機。
【請求項４】
該フレームに取付けられたダンパと、
該回転軸を回転可能に支承する軸受と、
該ダンパを介して該フレームに支持されるモータベースと、を更に備え、
該モータ及び該軸受は、該モータベースに支持されていることを特徴とする請求項１に記載の遠心機。
【請求項５】
該開口部は、該底部の該ベルト全体に対向する部分に形成されていることを特徴とする請求項１に記載の遠心機。
【手続補正２】
【補正対象書類名】明細書
【補正対象項目名】０００５
【補正方法】変更
【補正の内容】
【０００５】
上記目的を達成するために、本発明は、外枠を構成し、底部を有するフレームと、該フレーム内に配置され該フレームに固定支持されてロータ室を画成するボウルと、該ボウル内外に延び、一端は該ボウル内に位置し、他端は該ボウル外に位置し該底部に近接対向し、該一端側にロータを装着して該ロータを該ロータ室内で回転させる回転軸と、該フレームに支持され、該ボウルの一側面側側に配置され、駆動力を発生するモータと、該モータの駆動力を出力するために該モータから延設され、該底部に近接対向する出力軸と、該回転軸の他端及び該出力軸に装着され、該モータの駆動力を該回転軸に伝達するベルトとを備えた遠心機において、該底部の該ベルトに対向する部分には、開口部が形成され、該開口部は、該回転軸の他端に対向する部分に形成された第１開口部と、該出力軸に対向する部分に形成された第２開口部とを有する遠心機を提供している。
【手続補正３】
【補正対象書類名】明細書
【補正対象項目名】０００６
【補正方法】削除
【補正の内容】
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
試料を保持して遠心分離するロータと、該ロータを回転させるモータと、該モータを駆動制御する制御装置と、該制御装置による前記モータの駆動動作を設定および表示する操作表示部を有する遠心分離機であって、
遠心処理の回数を計数するカウンタと、
前記カウンタが保持する値を表示するカウント値表示器と、
前記カウンタを動作状態とするカウンタ動作手段とを有し、
前記カウンタは、前記カウンタ動作手段により動作状態とされた場合にのみ、前記遠心処理の回数を計数し、前記カウント値表示器は、前記カウンタが計数した遠心処理の回数を表示することを特徴とする遠心分離機。
【請求項２】
前記カウンタは複数設けられ、
前記カウンタ動作手段は、前記複数のカウンタのいずれか少なくとも１つを選択して動作状態とし、
動作状態とされた前記カウンタは、遠心処理の回数を計数することを特徴とする請求項１に記載の遠心分離機。
【請求項３】
前記遠心処理の回数の計数は、遠心を開始または終了した回数を計数して行うことを特徴とする請求項１若しくは２のいずれか一項に記載の遠心分離機。
【請求項４】
前記カウンタ動作手段が選択したカウンタを示すカウンタ識別情報を表示するカウンタ識別情報表示部を有することを特徴とする請求項１から３のいずれか一項に記載の遠心分離機。
【請求項５】
前記カウンタ動作手段が選択したカウンタのカウント目標値を表示する目標値表示部を有することを特徴とする請求項１から４のいずれか一項に記載の遠心分離機。
【請求項６】
前記カウンタの計数動作を停止させる計数停止手段を有することを特徴とする請求項１から５のいずれか一項に記載の遠心分離機。
【請求項７】
前記カウント値表示器は前記操作表示部に含まれ、遠心分離機の動作状態を表示する表示部を兼ねることを特徴とする請求項１から６のいずれか一項に記載の遠心分離機。
【手続補正２】
【補正対象書類名】明細書
【補正対象項目名】０００８
【補正方法】変更
【補正の内容】
【０００８】
上記目的を達成するため、請求項１に記載の発明は、試料を保持して遠心分離するロータと、該ロータを回転させるモータと、該モータを駆動制御する制御装置と、該制御装置による前記モータの駆動動作を設定および表示する操作表示部を有する遠心分離機であって、遠心処理の回数を計数するカウンタと、前記カウンタが保持する値を表示するカウント値表示器と、前記カウンタを動作状態とするカウンタ動作手段とを有し、前記カウンタは、前記カウンタ動作手段により動作状態とされた場合にのみ、前記遠心処理の回数を計数し、前記カウント値表示器は、前記カウンタが計数した遠心処理の回数を表示することを技術的特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に記載の発明は、請求項１に記載の発明において、前記カウンタは複数設けられ、前記カウンタ動作手段は、前記複数のカウンタのいずれか少なくとも１つを選択して動作状態とし、動作状態とされた前記カウンタは、遠心処理の回数を計数することを特徴とする。
【手続補正５】
【補正対象書類名】明細書
【補正対象項目名】００１１
【補正方法】変更
【補正の内容】
【００１１】
請求項３に記載の発明は、請求項１若しくは２のいずれか一項に記載の発明において、前記遠心処理の回数の計数は、遠心を開始または終了した回数を計数して行うことを特徴とする。
【手続補正６】
【補正対象書類名】明細書
【補正対象項目名】００１２
【補正方法】変更
【補正の内容】
【００１２】
請求項４に記載の発明は、請求項１から３のいずれか一項に記載の発明において、前記カウンタ動作手段が選択したカウンタを示すカウンタ識別情報を表示するカウンタ識別情報表示部を有することを特徴とする。
【手続補正７】
【補正対象書類名】明細書
【補正対象項目名】００１３
【補正方法】変更
【補正の内容】
【００１３】
請求項５に記載の発明は、請求項１から４のいずれか一項に記載の発明において、前記カウンタ動作手段が選択したカウンタのカウント目標値を表示する目標値表示部を有することを特徴とする。
【手続補正８】
【補正対象書類名】明細書
【補正対象項目名】００１４
【補正方法】変更
【補正の内容】
【００１４】
請求項６に記載の発明は、請求項１から５のいずれか一項に記載の発明において、前記カウンタの計数動作を停止させる計数停止手段を有することを特徴とする。
【手続補正９】
【補正対象書類名】明細書
【補正対象項目名】００１５
【補正方法】変更
【補正の内容】
【００１５】
請求項７に記載の発明は、請求項１から６のいずれか一項に記載の発明において、前記カウント値表示器は前記操作表示部に含まれ、遠心分離機の動作状態を表示する表示部を兼ねることを特徴とする。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
被処理液をろ過するための管状ろ過膜を複数本備え、複数本の前記管状ろ過膜は、少なくとも長手方向一端の開口部に、樹脂垂れによる肉厚部が形成されている、管状ろ過膜群。
【請求項２】
複数本の管状ろ過膜の一端を液状の熱硬化性樹脂に浸漬してから引き上げたちに液状の熱硬化性樹脂を硬化する工程を含む、管状ろ過膜群の製造方法。
【請求項３】
複数の請求項1記載の管状ろ過膜群を収納容器に収容したのちに、前記管状ろ過膜膜群と前記収納容器との間の空間に熱硬化性樹脂を埋める工程を含む、ろ過膜モジュールの製造方法。
【手続補正２】
【補正対象書類名】明細書
【補正対象項目名】０００５
【補正方法】変更
【補正の内容】
【０００５】
すなわち、本発明は、被処理液をろ過するための管状ろ過膜を複数本備え、複数本の前記管状ろ過膜は、少なくとも長手方向一端の開口部に、樹脂垂れによる肉厚部が形成されている、管状ろ過膜群である。前記管状ろ過膜は、内面に前記被処理液のろ過機能を有しかつ少なくとも内面に突起が部分的に形成されたものであることが好ましい。前記管状ろ過膜は、円筒状に形成されたろ過膜層と、前記ろ過膜層の外周面に配置された、前記ろ過膜層に対して形状保持性を付与するための通液性を有する支持膜層とを備えたものであることが好ましい。前記管状ろ過膜は、内径が３〜２５ｍｍのものであることが好ましい。また、本発明によれば、被処理液をろ過するための、少なくとも長手方向一端の開口部に樹脂垂れによる肉厚部が形成されている、管状ろ過膜の複数本を含む管状ろ過膜群と、前記管状ろ過膜群を少なくとも１個収容しかつ前記管状ろ過膜を通過した前記被処理液を外部に排出する排出口を有する筒状の収納容器とが、前記収納容器の両端部に形成された保持部によって、前記管状ろ過膜群の長手方向両端部を保持されてなる、ろ過膜モジュールを得ることができる。前記管状ろ過膜は、内面に被処理液のろ過機能を有しかつ少なくとも内面に突起が部分的に形成されているものであることが好ましい。前記管状ろ過膜は、円筒状に形成されたろ過膜層と、前記ろ過膜層の外周面に配置された、前記ろ過膜層に対して形状保持性を付与するための通液性を有する支持膜層とを備えたものであることが好ましい。前記管状ろ過膜は、内径が３〜２５ｍｍで、Ｎπｄ2／４Ｓで示される管状ろ過膜の収納容器への充填率（Ｎは管状ろ過膜の収納容器への収納本数、ｄは管状ろ過膜の外径、Ｓは収納容器の軸方向に垂直な断面の断面積）が少なくとも０．７のものであることが好ましい。
【手続補正３】
【補正対象書類名】明細書
【補正対象項目名】０００６
【補正方法】変更
【補正の内容】
【０００６】
上記した発明は、管状ろ過膜相互間を集束固定する際、または管状ろ過膜相互間および管状ろ過膜と収納容器の間を集束固定する際に、接着用樹脂の溶液中に浸漬させてから引き上げると、管状ろ過膜内の溶液は自然落下して管状ろ過膜の端部に開口が形成され、管状ろ過膜相互間および管状ろ過膜と収納容器の間の溶液は残存して相互に固着させるので、開口部に樹脂垂れによる肉厚部が形成されるが、管状ろ過膜の端部を切断除去して開口させるという工程を経ないで被処理液の流通が可能になり、工程の簡素化に寄与するとともに、除去する分を見込んだ管状ろ過膜材料の準備をすることを不要にできる。また、上記した発明は、被処理液中に浸漬し、下方から空気泡を供給するような用途に使用すると、下方から上方に流れる被処理液の流れによって円滑なろ過を行うことができるとともに管状ろ過膜の内面に捕捉された夾雑物が、形成された突起による乱流によって容易に剥離させることができる。また、上記した発明は、管状ろ過膜の形状を保持して変形を防止することができる。また、上記した発明は、汚濁度の高い被処理液のろ過においても夾雑物による目詰まりを生じることなく、管状ろ過膜の単位容積当たりのろ過面積を低下させることなく、効率的なろ過を行うことができる。
【手続補正４】
【補正対象書類名】明細書
【補正対象項目名】００１９
【補正方法】変更
【補正の内容】
【００１９】
また、集束固定部に形成される樹脂垂れによる肉厚部４は、管状ろ過膜の先端と収納容器の先端とがほぼ同一平面になるように、管状ろ過膜を収納容器内にほぼ最密状態に充填し、これらの先端部分を収納容器ごと熱硬化性樹脂の配合液に浸漬して、管状ろ過膜同士の隙間、および管状ろ過膜と収納容器との隙間に配合液を浸透させた後、配合液より引き上げ、集束固定部を下向きに吊り下げることで、管状ろ過膜内に入り込んだ配合液のみを脱落させ、管状ろ過膜同士、および管状ろ過膜と収納容器との隙間に入り込んだ配合液を表面張力によって残存させた状態で硬化させることであるから、管状ろ過膜の内径に応じて配合液の粘度やポッティングライフを適切に選択する必要がある。すなわち、管状ろ過膜の内径が小さければ、比較的低粘度で長いポッティングライフのものを選択し、管状ろ過膜の内径が大きければ、比較的高粘度で短いポッティングライフのものを選択することになるが、管状ろ過膜同士、および管状ろ過膜と収納容器との隙間に入り込んだ配合液を残存させた状態で硬化させることを実現させることから、前述した樹脂垂れによる肉厚部４が集束固定部に形成されないほどの低粘度な配合液を用いられる可能性はほとんどない、と言える。なお、前述した樹脂垂れによる肉厚部４は樹脂が流れ落ちてきたことによって形成されるものをいう。また、このようなプロセスを経ているから、管状ろ過膜の先端部分はほぼ同一平面になっており、先端を切除して開口させる、といった次のプロセスを経ずに完成品にすることができる。
【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】
パーソナルデジタルアシスタントシステムであって、
パーソナルデジタルアシスタントの境界を画定し、第１の表面を有するエンクロージャと、
デジタル演算を実行するための、前記エンクロージャ内のＣＰＵと、
前記ＣＰＵに電気的に接続され、前記システムが複数の予め定義されたタスクコマンドを実行できるようにするためのコントローラとを含む、パーソナルデジタルアシスタントシステム。
【請求項２】
前記コントローラが、複数の方向に駆動され得る、請求項１記載のシステム。
【請求項３】
前記コントローラが第１の方向に動かされると、前記システムが第１の予め定義されたタスクコマンドを実行する、請求項２記載のシステム。
【請求項４】
前記エンクロージャの前記第１の表面上に設けられ、カーソルが示されるディスプレイをさらに含み、前記コントローラが第２の方向に動かされると、前記システムが前記カーソルの移動を制御するようプログラムされる、請求項２記載のシステム。
【請求項５】
前記コントローラが、前記カーソルに関連して、情報を入力するために、第３の方向に動かされる、請求項２記載のシステム。
【請求項６】
前記ディスプレイは複数の機能アイコンを表示し、前記コントローラが前記第３の方向に動かされると、前記システムが、前記カーソルにより選択されたアイコンの特定機能を実行する、請求項５記載のシステム。
【請求項７】
前記コントローラが、多軸スイッチであるように設計される、請求項１記載のシステム。
【請求項８】
前記コントローラが、前記エンクロージャの前記第１の表面上に配置される、請求項１記載のシステム。
【請求項９】
前記コントローラが、前記ディスプレイの下の中央位置に配置される、請求項８記載のシステム。
【請求項１０】
前記コントローラが、手動操作可能である、請求項１記載のシステム。
【請求項１１】
前記パーソナルデジタルアシスタントが、片手で保持することができる、請求項１記載のシステム。
【請求項１２】
前記コントローラを前記ＣＰＵに電気的に接続するための回路をさらに含む、請求項１記載のシステム。
【請求項１３】
パーソナルデジタルアシスタントシステムであって、
パーソナルデジタルアシスタントの境界を画定し、第１の表面を有するエンクロージャと、
前記エンクロージャの前記第１の表面上に設けられ、カーソルが示されるディスプレイと、
デジタル演算を実行するための、前記エンクロージャ内のＣＰＵと、
前記ＣＰＵに電気的に接続され、前記ディスプレイ上で前記カーソルの移動を制御すると共に、前記システムが少なくとも１つの所定のタスクコマンドを実行できるようにするカーソルコントローラとを含む、パーソナルデジタルアシスタントシステム。
【請求項１４】
前記カーソルコントローラが、異なる方向に動かされ得る、請求項１３記載のシステム。
【請求項１５】
前記カーソルコントローラが第１の方向に動かされると、前記システムが前記所定のタスクコマンドを実行する、請求項１４記載のシステム。
【請求項１６】
前記カーソルコントローラが第２の方向に動かされると、前記システムが前記カーソルの移動を制御するようプログラムされる、請求項１４記載のシステム。
【請求項１７】
前記カーソルコントローラが、前記カーソルに関連して情報を入力するために、第３の方向に動かされ得る、請求項１４記載のシステム。
【請求項１８】
前記ディスプレイは複数の機能アイコンを表示し、前記カーソルコントローラが前記第３の方向に動かされると、前記システムが、前記カーソルにより選択されたアイコンの特定機能を実行する、請求項１７記載のシステム。
【請求項１９】
前記カーソルコントローラが、多軸スイッチであるように設計される、請求項１３記載のシステム。
【請求項２０】
前記カーソルコントローラが、前記エンクロージャの前記第１の表面上に配置される、請求項１３記載のシステム。
【請求項２１】
前記カーソルコントローラが、前記ディスプレイの下の中央位置に配置される、請求項２０記載のシステム。
【請求項２２】
前記カーソルコントローラを前記ＣＰＵに電気的に接続するための回路をさらに含む、請求項１３記載のシステム。
【請求項２３】
パーソナルデジタルアシスタントの境界を画定し、第１の表面を有するエンクロージャと、
前記エンクロージャの前記第１の表面上に設けられ、カーソルが示されるディスプレイと、
デジタル演算を実行するための、前記エンクロージャ内のＣＰＵと、
前記ＣＰＵに電気的に接続され、前記ディスプレイ上で前記カーソルの移動を制御すると共に、前記カーソルに関連した情報を入力するためのカーソルコントローラとを含む、パーソナルデジタルアシスタントシステム。
【請求項２４】
前記ディスプレイは複数の機能アイコンを表示し、前記カーソルコントローラが第１の方向に動かされると、前記システムが、前記カーソルにより選択されたアイコンの特定機能を実行する、請求項２３記載のシステム。